(57)【要約】【課題】安全且つ省電力で騒音も小さく、汚れのみを効果的に拭き取ることができると共に、短時間で手軽に使用できる清掃装置を提供すること。【解決手段】清掃装置１は、霧化装置６の超音波振動子１３が発生させたミストＭを、電動送風機７が発生させた気流Ｆに乗せて送り出し、ミスト通路８を経由してミストノズル２４から被清掃面Ｓに向けて噴出させることで被清掃面Ｓを濡らし、この被清掃面Ｓ上の水分を拭部材４の拭シート２３によって汚れや塵埃ごと拭き取ることで、被清掃面Ｓを拭き掃除することができる。そして、前記ミストＭ及び気流Ｆが比較的低温なので、被清掃面Ｓのワックス等を剥がしてしまわず、塵埃を舞い上げずに除去することができ、また、使用者や周りにいる者が火傷等をしないようにすることができる。更に、低騒音且つ小電力で大量のミストＭを即時に発生させることができる。【選択図】図２
2011010806.tif 000002
【特許請求の範囲】
【請求項１】
本体と、この本体に対して可動に取り付けられた拭部材と、前記本体に設けられた把持部とを有し、前記本体に、超音波振動子を有する霧化装置と、気流を発生させる電動送風機と、前記霧化装置が発生させたミストを気流に乗せて前記本体外に送り出すミスト通路とを設けると共に、被清掃面に向けてミストを噴出させるためのミストノズルを前記拭部材の近傍に設けたことを特徴とする清掃装置。
【請求項２】
本体と、この本体に対して可動に取り付けられた拭部材と、前記本体に設けられた把持部とを有し、前記本体に、超音波振動子を有する霧化装置と、気流を発生させる電動送風機と、前記霧化装置が発生させたミストを気流に乗せて前記本体外に送り出すミスト通路とを設け、前記霧化装置が、筒状部と、この筒状部に対して接線方向に前記気流を導入する導風路と、前記筒状部の中央に同軸状に設けられると共に前記ミスト通路に接続される排出路とを有して構成される遠心分離室を有すると共に、被清掃面に向けてミストを噴出させるためのミストノズルを前記拭部材の近傍に設けたことを特徴とする清掃装置。
【請求項３】
前記ミスト通路の途中に液止め部を設けたことを特徴とする請求項１又は２記載の清掃装置。
【請求項４】
前記本体が、前記拭部材に対して垂直状態から後方に傾斜可能に取り付けられていると共に、前記霧化装置の霧化室の下後部に前記超音波振動子を設けたことを特徴とする請求項１又は２記載の清掃装置。
【発明の詳細な説明】
【技術分野】
【０００１】
本発明は、床等を拭き掃除するための清掃装置に関するものである。
【背景技術】
【０００２】
従来、この種の清掃装置としては、スチーム発生機が発生させたスチームをスチーム噴出管から床面等に噴出させた後、雑巾装着部に装着された雑巾によって、凝縮したスチームと共に床面等の汚れを拭き取るスチームクリーナーが知られている（例えば、特許文献１参照。）。
【先行技術文献】
【特許文献】
【０００３】
【特許文献１】特開２００１−３２７４４９号公報
【発明の概要】
【発明が解決しようとする課題】
【０００４】
しかしながら、このような従来の清掃装置は、使用するスチームの熱によって、意図せず床面等の被清掃面に塗布されたワックスまでも剥がしてしまう虞があった。また、従来の清掃装置は、高温のスチームを使用するため、場合によっては、使用者や周りにいる者を火傷させてしまう虞があった。また、従来の清掃装置は、高出力のヒータを用いて大量のスチームを短時間で発生させなければならないので、大電力を消費してしまうばかりでなく、水の沸騰音やスチームの噴射による騒音等が発生するので、静かに清掃することができないという問題があった。更に、従来の清掃装置は、スチームを発生させるために水を沸騰させる必要があり、高出力のヒータを用いたとしても、電力の供給を開始してからスチームが発生して使用可能となるまでに時間がかかるので、使いたい時に手軽にすぐ使用できないという問題もあった。
【０００５】
本発明は以上の問題点を解決し、安全且つ省電力で騒音も小さく、汚れのみを効果的に拭き取ることができると共に、短時間で手軽に使用できる清掃装置を提供することを目的とする。
【課題を解決するための手段】
【０００６】
本発明の請求項１に記載の清掃装置は、本体と、この本体に対して可動に取り付けられた拭部材と、前記本体に設けられた把持部とを有し、前記本体に、超音波振動子を有する霧化装置と、気流を発生させる電動送風機と、前記霧化装置が発生させたミストを気流に乗せて前記本体外に送り出すミスト通路とを設けると共に、被清掃面に向けてミストを噴出させるためのミストノズルを前記拭部材の近傍に設けたものである。
【０００７】
また、本発明の請求項２に記載の清掃装置は、本体と、この本体に対して可動に取り付けられた拭部材と、前記本体に設けられた把持部とを有し、前記本体に、超音波振動子を有する霧化装置と、気流を発生させる電動送風機と、前記霧化装置が発生させたミストを気流に乗せて前記本体外に送り出すミスト通路とを設け、前記霧化装置が、筒状部と、この筒状部に対して接線方向に前記気流を導入する導風路と、前記筒状部の中央に同軸状に設けられると共に前記ミスト通路に接続される排出路とを有して構成される遠心分離室を有すると共に、被清掃面に向けてミストを噴出させるためのミストノズルを前記拭部材の近傍に設けたものである。
【０００８】
また、本発明の請求項３に記載の清掃装置は、請求項１又は２において、前記ミスト通路の途中に液止め部を設けたものである。
【０００９】
更に、本発明の請求項４に記載の清掃装置は、請求項１又は２において、前記本体が、前記拭部材に対して垂直状態から後方に傾斜可能に取り付けられていると共に、前記霧化装置の霧化室の下後部に前記超音波振動子を設けたものである。
【発明の効果】
【００１０】
本発明の請求項１に記載の清掃装置は、以上のように構成することにより、前記霧化装置の超音波振動子を振動させて発生させたミストが、前記電動送風機が発生させた気流に乗って送り出され、前記ミスト通路を経由して前記ミストノズルから被清掃面に向けて噴出する。そして、被清掃面に向けて噴出したミストによって被清掃面が濡らされ、この被清掃面上の水分を前記拭部材によって汚れや塵埃ごと拭き取ることで、被清掃面が拭き上げられる。この際、被清掃面には比較的温度の低いミストが吹き付けられるので、被清掃面に塗布されたワックス等の保護層を剥がしてしまわないようにすることができるばかりでなく、使用者や周りにいる者を火傷させないようにすることができる。また、ミストを送り出すための気流の温度が周囲の気温とほぼ等しい（即ち、気流の密度が周囲の空気の密度とほぼ等しい）ことで、前記気流は、前記ミストノズルから噴出された後で上昇せず、被清掃面に沿って広がる。この結果、前記ミストは、前記気流中で自重により沈降して被清掃面を効果的に濡らすことができるので、被清掃面上の塵埃にミストを効果的に付着させ、清掃中に塵埃が舞い上がりにくくすることができる。更に、前記霧化装置が超音波振動子を有することで、小電力で大量のミストを発生させることができるばかりでなく、使用を開始するための操作から短時間でミストを発生させることができると共に、ミストの発生に伴う騒音を抑えることができる。
【００１１】
また、本発明の請求項２に記載の清掃装置は、以上のように構成することにより、前記霧化装置の超音波振動子を振動させて発生させたミストが、前記電動送風機が発生させた気流に乗って送り出され、前記ミスト通路を経由して前記ミストノズルから被清掃面に向けて噴出する。そして、被清掃面に向けて噴出したミストによって被清掃面が濡らされ、この被清掃面上の水分を前記拭部材によって汚れや塵埃ごと拭き取ることで、被清掃面が拭き上げられる。この際、被清掃面には比較的温度の低いミストが吹き付けられるので、被清掃面に塗布されたワックス等の保護層を剥がしてしまわないようにすることができるばかりでなく、使用者や周りにいる者を火傷させないようにすることができる。また、前記霧化装置で発生したミストのうち、粗いミストが前記遠心分離室で分離され、細かいミストが前記ミスト通路を経て前記ノズルから被掃除面に吹き付けられるので、ミストが薬剤等を含む場合、ミストの体積に対する表面積の比率が高くなることで、被清掃面に付着した汚れに対する反応性を高めることができる。また、ミストを送り出すための気流の温度が周囲の気温とほぼ等しい（即ち、気流の密度が周囲の空気の密度とほぼ等しい）ことで、前記気流は、前記ミストノズルから噴出された後で上昇せず、被清掃面に沿って広がる。この結果、前記ミストは、前記気流中で自重により沈降して被清掃面を効果的に濡らすことができるので、被清掃面上の塵埃にミストを効果的に付着させ、清掃中に塵埃が舞い上がりにくくすることができる。更に、前記霧化装置が超音波振動子を有することで、小電力で大量のミストを発生させることができるばかりでなく、使用を開始するための操作から短時間でミストを発生させることができると共に、ミストの発生に伴う騒音を抑えることができる。
【００１２】
また、前記ミスト通路の途中に液止め部を設けたことで、前記清掃装置を倒してしまった場合でも、前記霧化装置内の水が前記ミスト通路を経て前記ノズルから被清掃面に流出するのを防止することができる。
【００１３】
更に、前記本体を前記拭部材に対して垂直状態から後方に傾斜可能にすると共に、前記霧化装置の霧化室の下後部に前記超音波振動子を設けたことで、使用に伴って前記本体を後方に傾斜させても、振動中の前記超音波振動子が空中に露出しにくくなっているので、前記超音波振動子を破損させにくくすることができる。
【図面の簡単な説明】
【００１４】
【図１】本発明の第一の実施形態を示す清掃装置の正面図である。
【図２】同、右側面図である。
【図３】同、拭部材近傍の拡大右側面図である。
【図４】同、霧化装置の概略図である。
【図５】同、Ａ−Ａ拡大断面図である。
【図６】同、本体を傾斜させた状態におけるＡ−Ａ断面図である。
【図７】同、Ｂ−Ｂ断面図である。
【図８】同、Ｃ−Ｃ断面図である。
【図９】同、液止め部の概略図である。
【図１０】同、回路図である。
【図１１】本発明の第二の実施形態を示す清掃装置の回路図である。
【発明を実施するための形態】
【００１５】
以下、本発明の第一の実施形態について、図１乃至図１０に基づいて説明する。１は本発明の清掃装置である。この清掃装置１は、本体２と、この本体２の下部に対して関節部３を介して揺動可能に取り付けられた拭部材４と、前記本体２の上部に取り付けられた把持部５とを有して構成される。なお、前記本体１及び把持部５は、前記関節部３の回動軸を中心として、図２に示す前記本体２が直立した状態から、後方（図２における右側）に傾斜するように構成される。
【００１６】
前記本体２内には、霧化装置６と、電動送風機７と、ミスト通路８が設けられる。前記霧化装置６は、水タンク９と、霧化室１０と、遠心分離室１１とを有して構成される。そして、前記水タンク９は、前記霧化室１０に対して着脱自在に取り付けられる。なお、前記水タンク９は、前記霧化室１０内の水位をほぼ一定に保つように構成される。また、前記霧化室１０の底部には貫通孔１２が形成され、この貫通孔１２を閉塞するように、超音波振動子１３が取り付けられる。なお、前記貫通孔１２は、前記霧化室１０の後方寄りに形成される。即ち、前記超音波振動子１３は、前記霧化室１０の後方寄りに設けられる。また、前記遠心分離室１１は、円筒状の筒状部１４と、導風路１５と、排出路１６とを有して構成される。前記導風路１５は、前記筒状部１４における前記霧化室１０側（即ち、図５における前記筒状部１４の下部）に、前記筒状部１４の内面に対して接線方向に接続されるように形成される。そして、前記導風路１５には、前記電動送風機７が接続される。また、前記排出路１６は、前記筒状部１４の反前記霧化室１０側（即ち、図５における前記筒状部１４の上部）から前記霧化室１０側（即ち、図５における下方）へ同軸状に伸びて設けられる。更に、前記排出路１６は、前記ミスト通路８の一部を構成する上流側通路８Ａに接続される。
【００１７】
また、前記ミスト通路８の途中には、液状の水を排出させないようにするための液止め部１７が設けられる。この液止め部１７は、図９に示すように、貯水部１８と、この貯水部１８の上部に設けられた入口管部１９と、前記貯水部１８の下部に設けられた出口管部２０とを有して構成される。なお、図９は、前記本体２が直立した状態における前記液止め部１７を示すものである。そして、前記入口管部１９の前記貯水部１８内における端部１９Ａは、図９の状態において下向きに開口する。一方、前記出口管部２０の前記貯水部１８内における端部２０Ａは、図９の状態において下向きに開口するように屈曲する。そして、前記出口管部２０の下端には、前記ミスト通路８の一部を構成する屈曲自在なホース部２１が接続される。
【００１８】
前記拭部材４は、基部２２と、この基部２２に対して着脱自在に取り付けられる拭シート２３とを有して構成される。なお、この拭シート２３の前記基部２２への取付構造は、公知の構造を用いることができる。そして、前記拭部材４の前方には、ミストノズル２４が取り付けられる。このミストノズル２４は、その後部に腕部２４Ａを有し、この腕部２４Ａが前記関節部３に枢支される。また、前記ミストノズル２４は、前記ホース部２１に接続される。そして、前記ミストノズル２４の前端に形成された噴出口２４Ｂは、被清掃面Ｓに近接して開口すると共に、前記基部２２の幅とほぼ等しく形成される。
【００１９】
前記把持部５は、前記本体２に接続された棒状部２５と、この棒状部２５の先端に設けられた握り部２６と、この握り部２６に設けられた操作部２７とを有して構成される。そして、この操作部２７を操作することで、スイッチ２８がオン又はオフとなり、制御回路２９によって前記電動送風機７及び超音波振動子１３へ電力が供給されたり遮断されたりする。なお、３０は図示しない交流電源に接続された電源プラグ３１から供給される交流電流を直流電流に変換する交流−直流変換回路である。
【００２０】
次に、本実施形態の作用について説明する。まず使用者は、前記水タンク９に水を入れた後、この水タンク９を前記霧化室１０に取り付ける。そして、このように前記水タンク９が前記霧化室１０に取り付けられると、前記水タンク９内の水は前記霧化室１０内に流れ込む。そして、この霧化室１０内の水位が所定の値に達すると、前記水タンク９から前記霧化室１０への水の流入は停止する。ここで、前述したように、前記超音波振動子１３が、前記霧化室１０の底部に形成された前記貫通孔１２を閉塞するように取り付けられていることで、前記霧化室１０における最も低い位置に設けられるので、前記本体２が直立した状態では、前記超音波振動子１３は、常時水中に位置する。なお、前記清掃装置１を使用する場合、前記把持部５の握り部２６を把持し、図３に示すように、前記本体２を後方に傾斜させることになる。しかしながら、前述したように、前記貫通孔１２が前記霧化室１０の後方寄りに形成されることで、前記超音波振動子１３が、前記霧化室１０の後方寄りに設けられるので、図６に示すように、前記本体２が後方に傾斜したとしても、前記超音波振動子１３が水面上に露出しにくくなっている。そして、使用者は、前記拭シート２３を前記基部２２に取り付ける。更に、使用者は、前記電源プラグ３１を図示しない交流電源に接続する。このようにして、前記清掃装置１は使用可能な状態となる。
【００２１】
そして、前記操作部２７を操作して前記スイッチ２８をオンにすることで、前記制御回路２９は、前記交流−直流変換回路３０によって直流変換された電力を、前記電動送風機７及び超音波振動子１３に供給する。このように、前記超音波振動子１３に電力が供給されると、この超音波振動子１３は超音波帯域の振動数で振動し、前記霧化室１０内の水を霧化する。このようにしてミストＭが発生する。なお、前記電動送風機７及び超音波振動子１３の作動音は、従来の清掃装置で用いられるスチーム発生装置と比べて静かである。従って、本願の清掃装置１は、従来のものに比べて静かにすることができる。また、超音波振動を霧化室１０内の水に与えることで前記ミストが直ちに発生するので、本願の清掃装置１は、前記スイッチ２８をオンにすることによって、前記ミストを速やかに発生させることができる。従って、本願の清掃装置１は、従来のものに比べて短時間で使用可能な状態にすることができる。更に、前記超音波振動子１３は、従来の清掃装置で用いられるスチーム発生装置（即ちヒータ）と比べて消費電力が小さい。従って、本願の清掃装置１は、従来のものに比べて省電力にすることができる。そして、前記電動送風機７が作動することによって発生した気流Ｆは、前記遠心分離室１１の筒状部１４の下部に形成された前記導風路１５から前記筒状部１４内に流入する。なお、前記導風路１５が、前記筒状部１４の下部の前側に設けられていることで、前記本体２を後方に傾斜させたとしても、前記霧化室１０内の水は前記導風路１５から漏れることがない。従って、前記霧化室１０内の水は前記電動送風機７を濡らすことがない。そして、前記導風路１５が前記筒状部１４の内面に対して接線方向に接続されるように形成されるので、前記気流Ｆは、前記筒状部１４内で旋回流Ｖとなる。そして、前記ミストＭが前記旋回流Ｖに乗って前記筒状部１４内で回転することで、前記ミストＭのうち、粒径の粗いもの（Ｍｌ）は、遠心力によって前記筒状部１４の外周側に集まる。一方、前記ミストＭのうち、粒径の細かいもの（Ｍｆ）は、前記筒状部１４の中心側に集まる。そして、前記筒状部１４の中心側に集まった前記細かいミストＭｆは、前記気流Ｆによって、前記排出路１６から前記ミスト通路８に送られる。このようにして、前記細かいミストＭｆのみが前記遠心分離室１１から流出する。なお、前記筒状部１４の外周側に集められた前記粗いミストＭｌは、前記筒状部１４の内壁に付着して水滴となる。この水滴は、前記筒状部１４の内壁に沿って流れ落ち、前記霧化室１０に戻る。また、前記ミストＭの発生によって、前記霧化室１０内の水が減ることになるが、この水の減少分は、前記水タンク９から前記霧化室１０に供給される。
【００２２】
前記ミスト通路８に送られた前記ミストＭｆは、前記上流側通路８Ａ、前記液止め部１７及び前記ホース部２１を経て前記ミストノズル２４へ送られ、このミストノズル２４の噴出口２４Ｂから前記被清掃面Ｓに吹き付けられる。なお、前記ミストＭｆは、前記入口管部１９から前記貯水部１８内に入り、前記出口管部２０から出ることで、前記液止め部１７を通過することができる。一方、前記清掃装置１を転倒させてしまった場合、前記排出路１６から前記上流側通路８Ａを経て前記液止め部１７に液体状の水Ｗが流入する可能性があるものの、このような水Ｗは、前記本体２が直立した図９の状態において、前記出口管部２０の端部２０Ａが下向きに開口するように屈曲して構成されるので、前記貯水部１８内で落下し、前記出口管部２０の端部２０Ａから流出することができない。そして、前記ホース部２１は、前述した通り屈曲自在なので、前記関節部３の動きを妨げることがない。
【００２３】
更に、前記ミストノズル２４は、前記清掃装置１の使用時においては、前記拭部材４の基部２２との相対的な位置関係は、ほぼ固定される。即ち、前記清掃装置１の使用時において、前記ミストノズル２４の噴出口２４Ｂは、前記被清掃面Ｓに近接し続ける。そして、前述したように、前記ミストＭｆが前記被清掃面Ｓに吹き付けられることで、前記ミストＭｆは前記被清掃面Ｓを薄く濡らす。なお、前記ミストＭｆを送り出す気流Ｆは、前記電動送風機７が前記清掃装置１の外部から吸引した空気なので、前記清掃装置１の周囲の気温と殆ど同じ温度（即ち、周囲の空気と殆ど同じ密度）である。従って、前記気流Ｆは、前記噴出口２４Ｂから噴出した後、上昇せず、前記被清掃面Ｓに沿って薄く広がる。このため、前記気流Ｆに乗った粒子状の前記ミストＭｆは、前記噴出口２４Ｂから噴出した後、沈降しながら、前記被清掃面Ｓに沿って薄く広がる。このように、前記ミストＭｆが前記被清掃面Ｓに沿って薄く広がることで、前記ミストＭｆは、前記被清掃面Ｓ上の塵埃に付着しやすい。従って、前記被清掃面Ｓ上の塵埃は、前記ミストＭｆが付着することで、舞い上がりにくくなる。そして、前記ミストＭｆによって濡らされた前記被清掃面Ｓの汚れや塵埃は、使用者が前記把持部５の握り部２６を持って前記拭部材４を前記被清掃面Ｓに沿って動かすことで、前記拭部材４の基部２２に取り付けられた前記拭シート２３によって拭き取られる。このようにして、前記被清掃面Ｓは清掃される。なお、前記被清掃面Ｓ上の水分は、前記拭シート２３によって大部分が吸収されると共に、僅かに残った分も自然に乾燥する。
【００２４】
なお、前記ミストＭｆは、比較的低温なので、被清掃面Ｓに塗布されたワックス等を意図せず融かしてしまうということがない。従って、前記ミストＭｆを被清掃面Ｓに吹き付ける本願の清掃装置１は、汚れや塵埃のみを除去することができる。また、本願の清掃装置１は、前記ミストＭｆが比較的低温なので、使用者や周りにいる者が火傷等をしないようにすることができる。
【００２５】
なお、前述したように、本実施形態では、前記細かいミストＭｆのみが前記ミストノズル２４から被清掃面Ｓに吹き付けられる。前記細かいミストＭｆは、前記粗いミストＭｌと比較して、体積に対する表面積の割合が大きくなるので、前記水タンク９内の水に薬剤を添加することで前記ミストＭｆが薬剤を含む場合、このミストＭｆは、前記薬剤を広い面積で空気や汚れに触れさせて化学反応を速く進ませることが期待される。また、前記噴出口２４Ｂが、前記拭部材４の基部２２の幅とほぼ等しく形成されることで、前記ミストＭｆは前記基部２２の幅よりも広範囲に広がり、前記被清掃面Ｓに付着する。この際、前記ミストＭｆは、前記被清掃面Ｓにおける前記拭シート２３によって拭かれた部分を再び濡らす可能性がある。しかしながら、前述したように、前記ミストＭｆは細かいので、前記被清掃面Ｓを薄く広く濡らすことになる。従って、前記被清掃面Ｓを濡らす水は、拭き残されたとしても、速やかに蒸発する。従って、前記被清掃面Ｓは、長時間濡れたままにされない。
【００２６】
以上のように、本発明の清掃装置１は、霧化装置６の超音波振動子１３が発生させたミストＭを、電動送風機７が発生させた気流Ｆに乗せて送り出し、ミスト通路８を経由してミストノズル２４から被清掃面Ｓに向けて噴出させることで被清掃面Ｓを濡らし、この被清掃面Ｓ上の水分を拭部材４の拭シート２３によって汚れや塵埃ごと拭き取ることで、被清掃面Ｓを拭き掃除することができるものである。そして、前記ミストＭのみならず、このミストＭを送り出すための気流Ｆの温度が比較的低温なので、被清掃面Ｓのワックス等を剥がしてしまわず、汚れや塵埃のみを除去することができ、また、前記気流Ｆ及びこれに乗ったミストＭが、前記ミストノズル２４から噴出された後で上昇せず、被清掃面Ｓ上で薄く広がることで、被清掃面Ｓ上の塵埃にミストＭを効果的に付着させ、清掃中に塵埃が舞い上がりにくくすることができ、更に、使用者や周りにいる者が火傷等をしないようにすることができるものである。更に、前記霧化装置６が超音波振動子１３を有することで、小電力で大量の前記ミストＭを発生させることができるばかりでなく、電力を供給してから短時間で前記ミストＭを発生させることができると共に、前記ミストＭの発生に伴う騒音を抑えることができるものである。
【００２７】
また、本発明の清掃装置１は、導風路１５から流入した前記気流Ｆが筒状部１４内で旋回流Ｖになることで、前記霧化装置６で発生した前記ミストＭのうち、粗いミストＭｌが遠心分離室１１で遠心分離されて、細かいミストＭｆが排出路１６から前記ミスト通路８を経て前記ミストノズル２４から前記被掃除面Ｓに吹き付けられるので、前記ミストＭｆが薬剤等を含む場合、前記ミストＭｆの体積に対する表面積の比率を高め、前記被清掃面Ｓに付着した汚れや空気に対する反応性を高めることができるものである。
【００２８】
また、本発明の清掃装置１は、前記ミスト通路８の途中に液止め部１７を設けたことで、前記清掃装置１を倒してしまった場合でも、前記霧化装置６内の水Ｗが前記ミスト通路８を経て前記ミストノズル４から被清掃面Ｓに流出するのを防止することができるものである。
【００２９】
更に、本発明の清掃装置１は、前記本体２を前記拭部材４に対して直立した状態から後方に傾斜可能にすると共に、前記霧化装置６の霧化室１０の下後部に前記超音波振動子１３を設けたことで、使用に伴って前記本体２を後方に傾斜させても、振動中の前記超音波振動子１３が空中に露出しにくくなっているので、前記超音波振動子１３を破損させにくくすることができるものである。
【００３０】
次に、本発明の第二の実施形態について、図１１に基づいて説明する。本実施形態では、充電回路４０によって充電された二次電池４１を用いて、電動送風機７及び超音波振動子１３を作動させる。なお、４２は充電端子である。その他の構成及び作用については、基本的に第一の実施形態と共通する。
【００３１】
なお、本発明は以上の実施形態に限定されるものではなく、発明の要旨の範囲内で種々の変形実施が可能である。例えば、上記実施形態では、遠心分離室によってミスト中の細かいミストのみをミストノズルから噴出させるようにしたが、発生したミストを全てミストノズルから噴出させるようにしても良い。
【符号の説明】
【００３２】
１  清掃装置
２  本体
４  拭部材
５  把持部
６  霧化装置
７  電動送風機
８  ミスト通路
１０  霧化室
１１  遠心分離室
１３  超音波振動子
１４  筒状部
１５  導風路
１６  排出路
１７  液止め部
２４  ミストノズル
Ｍ  ミスト
Ｓ  被清掃面
Ｆ  気流
【図１】
2011010806.tif 000003
【図２】
2011010806.tif 000004
【図３】
2011010806.tif 000005
【図４】
2011010806.tif 000006
【図５】
2011010806.tif 000007
【図６】
2011010806.tif 000008
【図７】
2011010806.tif 000009
【図８】
2011010806.tif 000010
【図９】
2011010806.tif 000011
【図１０】
2011010806.tif 000012
【図１１】
2011010806.tif 000013